(57)【特許請求の範囲】
【請求項１】
被検者を横臥させる天板を有する横臥台と、前記天板の下方に移動自在に位置する放射線受像部と、該放射線受像部を前記天板の短手方向又は長手方向に案内する案内手段と、前記放射線受像部を鉛直方向に起立させる機能を有する起立手段と、前記横臥台を支持する支持台とを備え、該支持台は前記放射線受像部と前記案内手段を支持すると共に両端に鉛直方向に傾動可能な可動支持板を備え、前記案内手段は前記放射線受像部を前記可動支持板上に案内することを特徴とする放射線受像部付撮影台。
【請求項２】
被検者を横臥させる天板を有する横臥台と、前記天板の下方に移動自在に位置する放射線受像部と、該放射線受像部を前記天板の短手方向又は長手方向に案内する案内手段と、前記放射線受像部を鉛直方向に起立させる機能を有する起立手段と、前記横臥台とは別体の支持台とを備え、該支持台は前記放射線受像部と前記案内手段を支持すると共に両端に鉛直方向に傾動可能な可動支持板を備え、前記案内手段は前記放射線受像部を前記可動支持板上に案内することを特徴とする放射線受像部付撮影台。
【請求項３】
被検者を横臥させる天板を有する横臥台と、前記天板の下方に移動自在に位置する放射線受像部と、該放射線受像部を前記天板の短手方向又は長手方向に案内する案内手段と、前記放射線受像部を鉛直方向に起立させる機能を有する起立手段とを備え、前記放射線受像部は、放射線をその強度に応じた電荷に変換する固体検出素子を二次元状に配置した放射線検出器と、該放射線検出器からの信号を読み取る信号読取回路と、前記放射線検出器への散乱放射線の入射を防止すためのグリッドとを有し、該グリッドは所定方向に配列した鉛箔を有し、前記起立手段によって起立することを特徴とする放射線受像部付撮影台。
【請求項４】
前記案内手段は前記放射線受像部を前記天板の短手、長手の両方向に案内する請求項１又は２又は３に記載の放射線受像部付撮影台。
【請求項５】
前記起立手段は前記放射線受像部を回転により起立させる請求項１又は２又は３に記載の放射線受像部付撮影台。
【請求項６】
前記起立手段は前記放射線受像部を略９０度起立させる請求項５に記載の放射線受像部付撮影台。
【請求項７】
前記天板はその両端に鉛直方向に傾動可能で被検者を前記天板と共働して支持する可動天板を備えた請求項１又は２又は３に記載の放射線受像部付撮影台。
【請求項８】
前記放射線受像部は前記グリッドを所定方向へ移動させるグリッド移動手段を有する請求項３に記載の放射線受像部付撮影台。
【請求項９】
前記起立手段によって起立した前記放射線受像部における前記グリッドの移動方向は水平方向である請求項８に記載の放射線受像部付撮影台。
【請求項１０】
前記起立手段によって起立した前記放射線受像部における前記グリッドの移動方向は鉛直方向である請求項８に記載の放射線受像部付撮影台。
【請求項１１】
前記起立手段によって起立した前記放射線受像部における前記グリッドの鉛箔配列方向は鉛直方向である請求項３に記載の放射線受像部付撮影台。
【請求項１２】
前記横臥台と前記支持台とを固定するロック手段を備えた請求項２に記載の放射線受像部付撮影台。
【発明の詳細な説明】
【０００１】
【発明の属する技術分野】
本発明は、テーブル、ベッド等の横臥台の天板に横臥させた被検者にＸ線等の放射線を投射し、被検者を透過した放射線を天板の下方又は側方に配置した放射線受像部により撮影する放射線受像部付撮影台に関するものである。
【０００２】
【従来の技術】
従来、放射線撮影装置は被検者の医療診断、物質の非破壊検査等の多様な分野で使用されており、この種の装置には増感紙と放射線写真フィルムを密着させて使用する所謂放射線写真法が採用されている。この装置において、被写体を透過した放射線が増感紙に入射すると、増感紙に含まれている蛍光体が放射線のエネルギを吸収して蛍光を発生し、この蛍光により放射線写真フィルムが感光して放射線像を可視像として記録する。
【０００３】
近年、蓄積性蛍光体から成る放射線検出器を備えた画像記録再生装置が考案されている。この装置において、被写体を透過した放射線が蓄積性蛍光体に入射すると、蓄積性蛍光体は放射線エネルギの一部を蓄積する。そして、蓄積性蛍光体に可視光等の光を照射すると、蓄積性蛍光体は蓄積したエネルギに応じた輝尽発光を示す。即ち、蓄積性蛍光体は被写体の放射線画像情報を蓄積し、走査手段が蓄積性蛍光体をレーザー光等の励起光で走査し、読取手段が輝尽発光光を光電的に読み取り、読取手段が読み取った画像信号を写真感光材料等の記録材料、ＣＲＴ等の表示手段が可視像として記録又は表示する。
【０００４】
また、半導体プロセス技術の進歩により、放射線をリアルタイムで直接にデジタル出力する放射線検出器が提案され、例えば特開平８−１１６０４４号公報に記載されている。放射線検出器はシンチレータと固体光検出器を積層した構成となっており、シンチレータは放射線を可視光に変換し、固体検出器は可視光を光電変換するようになっている。固体検出器は石英ガラスから成る基板上に、透明導電膜と導電膜から成る固体光検出素子をアモルファス半導体膜を挟んでマトリクス状に配列することにより製作が可能になっている。そして、このような放射線検出器は数ｍｍの厚さの平面パネル状であるため、放射線検出器を使用した放射線受像部は、薄型軽量化が容易に可能となっている。
【０００５】
図１２、図１３は放射線検出器を内蔵した放射線受像部１をテーブル２に備えた従来の放射線受像部付撮影台を示し、テーブル２は支持台３に支柱４を介して天板５が支持された構成とされている。そして、放射線受像部１は支持台３の上部にレール台６を介して天板５の長手方向に移動自在に支持されている。放射線受像部１には放射線検出器と共に信号読取回路が内蔵されており、信号読取回路はケーブル７を介して図示しない画像処理部に接読されている。
【０００６】
この種の撮影台は放射線検出器を用いた放射線受像部１を備えているので、従来のように放射線写真フィルム又は蓄積性蛍光体シートを収納したカセッテを着脱したり、放射線写真フィルムを現像したり、蓄積性蛍光体シートにレーザー光を走査したりする作業が不要となり、撮影者を一連のこの種の煩雑な作業から解放できる。即ち、撮影者は天板５上に横臥している被検者Ｓに対する所望位置に放射線受像部１を移動して被検者Ｓの所望部位を撮影でき、ＣＲＴ等の表示手段が表示する放射線画像を診断に利用できる。
【０００７】
図１４、図１５は放射線写真フィルム又は蓄積性蛍光体シートを収容したカセッテ１’をテーブル２’と共に使用する従来の放射線受像部付撮影台を示し、テーブル２’は支持台３、支柱４及び天板５とから構成されている。この撮影台で被検者Ｓの側面撮影を行う場合には、カセッテ１’を天板５の上に特別な支持具又は被検者Ｓの手によって鉛直に保持する必要があり、ＩＣＵ（集中要注意装置）のベッドで被検者Ｓの側面撮影を行う場合には、撮影者がカセッテ１’を鉛直に保持する必要がある。
【０００８】
また、ＩＣＵのベッドに横臥している被検者Ｓが例えば心臓疾患を有する場合には、被検者Ｓが起立する際に心臓に大きい負担が掛かる。このため、従来のＩＣＵのベッドは天板の長手方向の少なくとも一端部に傾動可能な可動天板を備えている場合が多い。このベッドを使用する場合には、可動天板を起立させた後にその背後にカセッテ１’を配置する必要がある上に、被検者Ｓの上半身を起立させた状態で被検者Ｓの下半身を撮影する必要がある。
【０００９】
【発明が解決しようとする課題】
このように、テーブル２、２’やベッドの有効性を十分に発揮させるためには、放射線受像部１又はカセッテ１’を複数の異なる方向から撮影可能な姿勢に保持する必要がある。しかしながら、放射線受像部１を所望の位置に配置するためには次のような問題点が生ずる。
【００１０】
（ａ）放射線受像部１と画像処理部をケーブル７により接続している上に、放射線受像部１はカセッテ１’よりも重くかつ大きいため、撮影者は撮影の前に放射線受像部１を天板５の下面から取り出して天板５の上に鉛直に立て、撮影の後には天板５の上から天板５の下に戻すという煩雑な作業が必要となる。
【００１１】
（ｂ）放射線受像部１の主構成部品である放射線検出器は高価であるため、異なる撮影に対応するために放射線受像部１を個別に用意することや、全てをＩＣＵのベッドに組み込むことはコスト高になる。
【００１２】
（ｃ）ＩＣＵのベッドの天板は均一な平面形状でないので、放射線受像部１を天板に沿って例えば操作者の手で連続的に移動させるためには、天板の下部に余分な移動空間が必要となる。
【００１３】
（ｄ）これらの問題とは別の観点の問題として、放射線受像部１にグリッドを使用し、グリッドを静止させて側面撮影を行う場合には、放射線検出器の画素ピッチとグリッドの鉛箔の配列ピッチの関係に起因するモアレが放射線画像上に発生する。
【００１４】
（ｅ）ＩＣＵのベッドに横臥している救急患者や重体患者をテーブル２の天板５に強制的に移動することは極力避ける必要があるので、ＩＣＵのベッドに横臥している患者を撮影するためには、ＩＣＵのベッドにも放射線受像部１を配置する必要がある。
【００１５】
本発明の目的は、上述の問題点の幾つか、或いは全てを解消し、複数の異なる方向から容易に撮影し得る安価な放射線受像部付撮影台を提供することにある。
【００１６】
【課題を解決するための手段】
上記目的を達成するための本発明に係る放射線受像部付撮影台は、被検者を横臥させる天板を有する横臥台と、前記天板の下方に移動自在に位置する放射線受像部と、該放射線受像部を前記天板の短手方向又は長手方向に案内する案内手段と、前記放射線受像部を鉛直方向に起立させる機能を有する起立手段と、前記横臥台を支持する支持台とを備え、該支持台は前記放射線受像部と前記案内手段を支持すると共に両端に鉛直方向に傾動可能な可動支持板を備え、前記案内手段は前記放射線受像部を前記可動支持板上に案内することを特徴とする。
また、本発明に係る放射線受像部付撮影台は、被検者を横臥させる天板を有する横臥台と、前記天板の下方に移動自在に位置する放射線受像部と、該放射線受像部を前記天板の短手方向又は長手方向に案内する案内手段と、前記放射線受像部を鉛直方向に起立させる機能を有する起立手段と、前記横臥台とは別体の支持台とを備え、該支持台は前記放射線受像部と前記案内手段を支持すると共に両端に鉛直方向に傾動可能な可動支持板を備え、前記案内手段は前記放射線受像部を前記可動支持板上に案内することを特徴とする。
更に、本発明に係る放射線受像部付撮影台は、被検者を横臥させる天板を有する横臥台と、前記天板の下方に移動自在に位置する放射線受像部と、該放射線受像部を前記天板の短手方向又は長手方向に案内する案内手段と、前記放射線受像部を鉛直方向に起立させる機能を有する起立手段とを備え、前記放射線受像部は、放射線をその強度に応じた電荷に変換する固体検出素子を二次元状に配置した放射線検出器と、該放射線検出器からの信号を読み取る信号読取回路と、前記放射線検出器への散乱放射線の入射を防止すためのグリッドとを有し、該グリッドは所定方向に配列した鉛箔を有し、前記起立手段によって起立することを特徴とする。
【００１７】
【発明の実施の形態】
本発明を図１〜図１１に図示の実施例に基づいて説明する。
図１は第１の実施例におけるＸ線受像部付撮影台の側面図、図２は正面図を示しており、Ｘ線受像部付撮影台は被検者の四肢部、頭部、腹部等の単純撮影が可能とされており、被検者を撮影するＸ線受像部１１は、被検者を横臥させ得る横臥台であるテーブル１２に移動機構１３を介して組み付けられている。Ｘ線受像部１１には図示しないＸ線検出器と信号読取回路が内蔵され、信号読取回路は図示しないケーブルを介して信号処理部に接続されている。テーブル１２は撮影室等の床上に配置可能な支持台１４と、この支持台１４の上方に四隅の支柱１５を介して水平に支持された天板１６とから成り、この天板１６はアクリル板、カーボン板等から形成されている。
【００１８】
移動機構１３では、固定レール台１７が天板１６の長手方向に向けて支持台１４の長手方向の略中央に固定され、固定レール台１７には移動台１８が天板１６の短手方向であるＡ方向に移動自在に組み付けられている。そして、移動台１８の一端側には支軸１９が天板１６の長手方向に向けて支持され、この支軸１９にはＸ線受像部１１の一端側の両面が支持されている。Ｘ線受像部１１と支軸１９の間には図示しない転がり軸受、滑り軸受等の軸受部材が介在されており、Ｘ線受像部１１は水平位置と鉛直位置の間のＢ方向に９０度の回転が可能とされている。
【００１９】
被検者の正面又は背面を撮影する際には、撮影者はＸ線受像部１１を水平にして移動台１８を天板１６の下側に押し込む。そして、被検者を天板１６の上に横臥させ、天板１６の上方からＸ線を投射し、天板１６の下に位置付けたＸ線受像部１１により撮影する。
【００２０】
また、被検者の側面を撮影する場合には、撮影者は移動台１８をＡ方向に押してＸ線受像部１１を破線で示すように天板１６の下部から露出させる。次に、Ｘ線受像部１１を支軸１９を中心としてＢ方向に回転して鉛直に起立させる。そして、被検者の側方からＸ線を投射し、天板１６の側方に起立させたＸ線受像部１１により撮影する。
【００２１】
このように第１の実施例では、撮影者はＸ線受像部１１をテーブル１２から外すことなく、所望の位置に案内できると共に所望の姿勢に転換できるので、被検者を複数の異なる方向から容易に撮影できる。また、Ｘ線受像部１１を所望位置に段階的に移動する、つまり水平に移動した後に鉛直に立ち上げるか、水平に倒した後に水平に移動するので、支持台１４と天板１６の間の空間を狭くすることができ、全体が大型化することはない。また、移動機構１３を天板１６の長手方向に移動する図示しない移動機構を設ければ、被検者の側面の全体を容易に撮影できる。
【００２２】
図３はＸ線の散乱を防止するためのグリッドの使用を説明する斜視図であり、図１、図２と同符号は同じ部材を示している。Ｘ線受像部１１’にはＸ線検出器２１とグリッド２２が組み込まれており、天板１６の上方にはＸ線を出射する管球２３が移動自在に設けられている。グリッド２２は複数の短冊状の鉛箔２２ａが所定の均等な間隔ｄで相互に平行に並べられ、鉛箔２２ａの配列方向は天板１６の短手方向に合わせれている。１枚の鉛箔２２ａの長手方向と被写体Ｓの体軸Ｓ０方向とは合わせられ、臨床画像に好ましい位置関係が維持されている。
【００２３】
管球２３から被写体Ｓに入射したＸ線は、天板１６を透過した後にグリッド２２に入射し、グリッド２２で散乱線が除去された状態でＸ線検出器２１に到達する。この際に、グリッド２２を天板１６の長手方向に移動した場合には、天板１６の短手方向に対する鉛箔２２ａの位置が変化しないため、鉛箔２２ａが画像に現れてしまう。このため、グリッド２２をＸ線受像部１１’内で図示しない駆動手段により、図３においては天板１６の短手方向であるＡ方向に移動、例えば揺動させる必要がある。
【００２４】
図４に示すようにＸ線受像部１１’が被検者Ｓの側面を撮影する位置にある場合には、鉛箔２２ａの長手方向と被写体Ｓの体軸Ｓ０の方向とが一致し、Ｘ線受像部１１’が好ましい状態を維持する。また、被検者Ｓの全身の側面を撮影する場合には、管球２３とＸ線受像部１１’を同時に移動させる。グリッド２２を天板１６の長手方向に関して鉛直位置に保持して、それらを鉛箔２２ａの長手方向つまり天板１６の長手方向に沿って同時に移動し、グリッド２２を重力方向に揺動させるため、天板１６の長手方向に関して、Ｘ線受像部１１’に対して管球２３を直角位置にに正確に保持する必要がないので、撮影作業が容易となる。
【００２５】
また、被検者Ｓに対してＸ線受像部１１’の鉛直方向の位置を調節する場合には、天板１６と被検者Ｓとの間に所定の厚みのスペーサ２４を介在させるか、Ｘ線受像部１１’を鉛直方向に移動する図示しない移動機構を設ければよい。この調節作業は撮影の前に行えばよいので、撮影は連続して行うことができる。
【００２６】
図５は第２の実施例におけるＸ線受像部付撮影台の側面図、図６はその一部を切欠した平面図、図７は正面図であり、Ｘ線受像部３１はテーブル３２に移動機構３３を介して支持されている。Ｘ線受像部３１とテーブル３２は第１の実施例と同様とされ、テーブル３２では支持台３４に支柱３５を介して天板３６が支持されている。
【００２７】
移動機構３３では、固定レール台３７が天板３６の長手方向に向けて支持台３４の上面に固定され、固定レール台３７には移動台３８がＣ方向に移動自在に組み込まれている。移動台３８の一端部の上面には、支軸３９が立設されており、この支軸３９には回転台４０がＤ方向に回転自在に取り付けられている。回転台４０は平面Ｔ字形状とされ、回転台４０のＴ字の横長部４０ａの１端部の孔に支軸３９が嵌合されている。そして、回転台４０のＴ字の縦長部４０ｂには支軸４１が横長部４０ａに平行に設けられ、支軸４１の両端部はＸ線受像部３１の両側の突出部３１ａの孔に嵌合され、Ｘ線受像部３１は水平位置と鉛直位置のＥ方向に回転可能とされている。
【００２８】
被検者の正面又は背面を撮影する際には、撮影者はＸ線受像部３１を天板３６の下方に位置させる。一方、被検者の側面撮影に際しては、撮影者はＸ線受像部３１を回転台４０と天板３６の短手方向に９０度回転し、Ｘ線受像部３１を天板３６の下部から露出させる。次に、Ｘ線受像部３１を鉛直方向に９０度起立させる。そして、起立させたＸ線受像部３１を移動台３８と共に天板３６の長手方向に移動させながら被検者の全身の側面を撮影する。この第２の実施例は第１の実施例と同様な効果を達成できる上に、被検者の側面全体を撮影できる。
【００２９】
図８はＸ線の散乱を防止するためのグリッドの使用を説明する斜視図であり、Ｘ線受像部３１’には第１の実施例と同様なＸ線検出器２１とのグリッド２２が収容されている。Ｘ線受像部３１’が被検者Ｓの側面を撮影する位置にある場合には、グリッド２２の鉛箔２２ａの長手方向はグリッド２２の移動方向であるＦ方向に対して９０度異なる。
【００３０】
従って、グリッド２２は天板３６の長手方向に移動、例えば揺動することが好ましい。ここで、被検者Ｓに対するＸ線受像部３１’の鉛直方向の位置合わせは厳密にする必要はない。これに対し、天板３６の長手方向に関する管球２３とＸ線受像部３１’との位置合わせは比較的正確に行う必要がある。このため、撮影個所を変えるなどのために、Ｘ線受像部３１’を天板３６の長手方向に移動させる代りに、天板３６が長手方向に移動させればよく、この場合には撮影作業が容易になる。
【００３１】
上述の第１、第２の実施例では、Ｘ線受像部１１、３１の姿勢を略鉛直に変換するように示したが、必ずしも鉛直に限定する必要はなく、例えばＸ線受像部１１、３１の姿勢を天板１６、３６に対して直角ではない傾斜した角度に変位すれば、被検者Ｓの姿勢を天板１６、３６に対して傾斜させることなく斜め方向から撮影できる。
【００３２】
図９は第３の実施例におけるＸ線受像部付撮影台の側面図であり、放射線受像部５１はＩＣＵのベッド５２に移動機構５３を介して移動自在に支持されている。ベッド５２の支持台５４の水平部５４ａには支柱４５を介して天板５６が支持され、支持台５４の脚部５４ｂの下端には車輪５７が設けられ、ベッド５２は移動可能とされている。支持台５４の脚部５４ｂに囲まれた空間５８には、酸素ボンベ等の呼吸補助器具や心電図計等の計測器具が搭載可能とされている。
【００３３】
そして、天板５６は長手方向の中央部に位置する固定天板５９と、この固定天板５９の両端部にヒンジ６０、６１を介して鉛直方向に回転可能に支持された可動天板６２、６３とから構成され、可動天板６２、６３は任意の角度に固定可能とされている。また、移動機構５３も中央部に位置する固定レール台６４と、この固定レール台６４の両端部にヒンジ６５、６６を介して鉛直方向に回転可能に支持された可動レール台６７、６８とから構成されており、これらの可動レール台６７、６８も任意の角度に固定可能とされている。
【００３４】
固定天板５９と可動天板６２、６３が水平を形成するときは、固定レール台６４と可動レール台６７、６８も水平を形成し、放射線受像部５１を可動天板６２、６３の下方に移動可能となる。
【００３５】
一方、被検者の上半身を撮影する場合には、被検者の上半身が位置する例えば可動天板６２を約４５°鉛直方向に起立させ、破線で示すように放射線受像部５１を可動レール台６７上に移動して固定し、可動レール台６７を可動天板６２と平行になるように回転固定する。
【００３６】
この第３の実施例でも撮影者は放射線受像部５１をベッド５２から外すことなく、被検者を異なる方向から撮影できる。また、放射線受像部５１は天板５６の長手方向にのみに移動させるので、支持台５４と天板５６の間の空間６９を狭くできる。この際に、放射線受像部５１を第１、第２の実施例と同様に、天板５６の短手方向に移動させて起立可能に構成すれば側面撮影も可能となる。
【００３７】
図１０は第４の実施例におけるＸ線受像部付撮影台の側面図、図１１は正面図であり、Ｘ線受像部７１、ベッド７２及び移動機構７３が備えられ、ベッド７２には支持台７４、支柱７５、天板７６及び車輪７７が備えられている。そして、天板７６には固定天板７８、ヒンジ７９、８０、可動天板８１、８２が設けられている。なお、天板７６はその片側が２本の支柱７５により支持されている。
【００３８】
ここで、Ｘ線受像部７１と移動機構７３は、ベッド７２とは別体の第２の支持台８３に支持されている。第２の支持台８３はベッド７２に対して挿脱可能とされ、ベッド７２の支持台７４の水平部７４ａの上方に位置する水平部８３ａと、ベッド７２の支持台７４の脚部７４ｂの外方に位置する脚部８３ｂと、これらの脚部８３ｂの下端に取り付けられた車輪８４とから構成されている。そして、移動機構７３は第２の支持台８３の水平部８３ａに設置され、この移動機構７３は第３の実施例と同様な固定レール台８５、ヒンジ８６、８７、可動レール台８８、８９から構成されている。
【００３９】
この第４の実施例では、天板７６に横臥している被検者を撮影するときにのみ、第２の支持台８３を移動してＸ線受像部７１を天板７６の下方に位置させればよく、Ｘ線受像部７１を最初からテーブル７２に組み込む必要はない。
【００４０】
また、本実施例においてＸ線受像部７１内でグリッドを移動させて撮影する場合には、被検者を載せた支持台７４とＸ線受像部７１を載せた支持台８３との相対位置がずれると撮影画像が悪化する虞れがあるので、例えばロック機構９０を使用して支持台７４と８３とを互いに固定し、グリッドの移動時に相対位置がずれないようにする必要がある。ロック機構９０による固定は、支持台７４の水平部７４ａの長手方向の両端付近位置で行うことが望ましい。
【００４１】
なお、グリッドを移動させないで撮影する場合やグリッドを使用しない撮影の場合には、このロック機構９０のような固定手段は必ずしも設ける必要はない。
【００４２】
なお、上述の第１〜第４の実施例では、Ｘ線検出器を内蔵したＸ線受像部１１、１１’、３１、３１’５１、７１を用いたが、放射線写真フィルム又は蓄積性蛍光体シートを収容したカセッテを採用しても、操作の容易性等の点で同様の効果を達成できる。
【００４３】
【発明の効果】
以上説明したように本発明に係る放射線受像部付撮影台は、放射線受像部を天板の短手又は長手方向に案内する案内手段と、放射線受像部を鉛直方向に起立させる起立手段とを備えているので、撮影者は放射線受像部を何の案内もなく手で運ぶという従来の作業を必要とせず、複数の異なる方向から容易に撮影できる。また、従来のカセッテと同様に単一の放射線受像部により複数の異なる方向から撮影できるので、製造及び運用コストが低減する。
【図面の簡単な説明】
【図１】第１の実施例におけるＸ線受像部付撮影台の側面図である。
【図２】Ｘ線受像部付撮影台の正面図である。
【図３】グリッドの使用を説明する斜視図である。
【図４】グリッドの使用を説明する斜視図である。
【図５】第２の実施例におけるＸ線受像部付撮影台の側面図である。
【図６】一部を切欠した平面図である。
【図７】正面図である。
【図８】グリッドの使用を説明する斜視図である。
【図９】第３の実施例の側面図である。
【図１０】第４の実施例の側面図である。
【図１１】正面図である。
【図１２】従来例の側面図である。
【図１３】従来例の正面図である。
【図１４】他の従来例の側面図である。
【図１５】他の従来例の正面図である。
【符号の説明】
１１、１１’、３１、３１’、５１、７１  Ｘ線受像部
１２、３２  テーブル
１３、３３、５３、７３  移動機構
１４、３４、５４、７４  支持台
１６、３６、５６、７６  天板
１７、３７、６４、８５  固定レール台
１８、３８  移動台
４０  回転台
５２、７２  ベッド
６２、６３、８１、８２  可動天板
６７、６８、８８、８９  可動レール台
８３  第２の支持台
９０  ロック機構
Ｓ  被検者
【図１】
0003592145.tif 000002
【図２】
0003592145.tif 000003
【図３】
0003592145.tif 000004
【図４】
0003592145.tif 000005
【図５】
0003592145.tif 000006
【図６】
0003592145.tif 000007
【図７】
0003592145.tif 000008
【図８】
0003592145.tif 000009
【図９】
0003592145.tif 000010
【図１０】
0003592145.tif 000011
【図１１】
0003592145.tif 000012
【図１２】
0003592145.tif 000013
【図１３】
0003592145.tif 000014
【図１４】
0003592145.tif 000015
【図１５】
0003592145.tif 000016